(57)【特許請求の範囲】
【請求項１】
電子式物品監視（ＥＡＳ）タグであって、
ボディと、
前記ボディに連結されて、取り外し可能なタックのピンを留めることにより、前記電子式物品監視（ＥＡＳ）タグを物体へ取り外し可能に係合させる回動クランプと、
前記ボディに配置された弧状チャンネルとを備え、前記弧状チャンネルは、その一端が前記ボディの側面で開口し、前記弧状チャンネルの反対端が前記回動クランプに近接して配置され、前記弧状チャンネルがその一部に形成されたキー溝を含み、
前記キー溝はＬ字型キー溝を含み、前記弧状チャンネルへのフックの挿入を可能にして前記回動クランプを操作し、
前記弧状チャンネルは前記弧状チャンネルの両端の間に延在する長さを有すると共に、前記Ｌ字型キー溝は垂直長手方向辺及び水平辺を含み、前記Ｌ字型キー溝の前記水平辺及び前記垂直長手方向辺は前記弧状チャンネルの長さに沿って異なる距離に配置される電子式物品監視（ＥＡＳ）タグ。
【請求項２】
前記水平辺及び前記垂直長手方向辺は前記水平辺及び前記垂直長手方向辺の交点に対してそれぞれ、０．０２８インチ（約０．０７ｃｍ）乃至０．０３２インチ（約０．０８ｃｍ）の幅である共に、前記水平辺及び前記垂直長手方向辺の交点に対して０．０９４インチ（約０．２３９ｃｍ）乃至０．０９６インチ（約０．２４４ｃｍ）の高さを有する請求項１に記載の電子式物品監視（ＥＡＳ）タグ。
【請求項３】
前記弧状チャンネルは、前記ボディの側面から前記Ｌ字型キー溝よりも更に離れて配置された幅広部分を含む請求項２に記載の電子式物品監視（ＥＡＳ）タグ。
【請求項４】
前記弧状チャンネルの径が拡大する部分に隣接する前記ボディ内に位置する障害物を更に含み、
この障害物は前記側面から前記Ｌ字型キー溝よりも更に離れた前記弧状チャンネルの長さに沿った点に配置され、且つこの障害物はフィッシュテープに係合して前記弧状チャンネルに沿う前記フィッシュテープの移動を防止する請求項２に記載の電子式物品監視（ＥＡＳ）タグ。
【請求項５】
電子式物品監視（ＥＡＳ）タグであって、
ボディと、                                                                     前記ボディ内の回動クランプと、
前記ボディに配置された弧状チャンネルとを備え、前記弧状チャンネルは、その一端が前記ボディの側面で開口し、前記弧状チャンネルの反対端が前記回動クランプに近接して配置され、前記弧状チャンネルはＬ字型キー溝を含み、前記ボディは、前記側面から前記キー溝よりも更に離れた前記弧状チャンネルの長さに沿った点において前記弧状チャンネルの径が拡大する部分に隣接して位置する障害物を更に含んでおり、捻じ曲げを含んで形成されたフィッシュテープを前記回動クランプとの係合から実質的に防止し、前記Ｌ字型キー溝は垂直長手方向辺及び水平辺を含み、前記Ｌ字型キー溝の前記水平辺及び前記垂直長手方向辺は前記弧状チャンネルの長さに沿って異なる距離に配置される電子式物品監視（ＥＡＳ）タグ。
【請求項６】
前記水平辺及び前記垂直長手方向辺は前記水平辺及び前記垂直長手方向辺の交点に対してそれぞれ、０．０２８インチ（約０．０７ｃｍ）乃至０．０３２インチ（約０．０８ｃｍ）の幅である共に、前記水平辺及び前記垂直長手方向辺の交点に対して０．０９４インチ（約０．２３９ｃｍ）乃至０．０９６インチ（約０．２４４ｃｍ）の高さを有する請求項５に記載の電子式物品監視（ＥＡＳ）タグ。
【請求項７】
前記弧状チャンネルは、前記ボディの側面から前記Ｌ字型キー溝よりも更に離れて配置
された幅広部分を含み、形成されたフィッシュテープを前記回動クランプとの係合から実質的に防止する請求項５に記載の電子式物品監視（ＥＡＳ）タグ。
【請求項８】
電子式物品監視（ＥＡＳ）システムであって、
物品に取り付け可能な電子式物品監視（ＥＡＳ）タグであり、ボディと、前記ボディ内の回動クランプと、前記ボディ内に配置された弧状チャンネルとを含み、前記弧状チャンネルは、その一端が前記ボディの側面で開口し、前記弧状チャンネルの反対端が前記回動クランプに近接して配置され、前記弧状チャンネルは、Ｌ字型キー溝を含み、そのＬ字型キー溝は垂直長手方向辺及び水平辺を含み、前記Ｌ字型キー溝の前記水平辺及び前記垂直長手方向辺は前記弧状チャンネルの長さに沿って異なる距離に配置された電子式物品監視（ＥＡＳ）タグと、
前記ボディ内に配置された障害物であり、側面から前記キー溝よりも更に離れた前記弧状チャンネルの長さに沿った点において前記弧状チャンネルの径が拡大する部分に隣接して位置する障害物を更に含み、捻じ曲げを含んで形成されたフィッシュテープを前記回動クランプとの係合から実質的に防止する障害物と、
前記電子式物品監視（ＥＡＳ）タグボディ中に配置され、検出可能な電子式物品監視（ＥＡＳ）センサと、
監視区域に第１の信号を送信するための送信機と、
第１の信号と前記検出可能な電子式物品監視（ＥＡＳ）センサとの相互作用によって生じる第２の信号を受信することにより、前記監視区域内の前記検出可能な電子式物品監視（ＥＡＳ）センサの存在を検出するための受信機とを備える電子式物品監視（ＥＡＳ）システム。
【請求項９】
前記水平辺及び前記垂直長手方向辺は前記水平辺及び前記垂直長手方向辺の交点に対してそれぞれ、０．０２８インチ（約０．０７ｃｍ）から０．０３２インチ（約０．０８ｃｍ）の幅、ならびに前記水平辺及び前記垂直長手方向辺の交点に対して０．０９４インチ（約０．２３９ｃｍ）から０．０９６インチ（約０．２４４ｃｍ）の高さを有する請求項８に記載の電子式物品監視（ＥＡＳ）システム。
【請求項１０】
前記弧状チャンネルは、前記ボディの側面から前記Ｌ字型キー溝よりも更に離れて配置された幅広部分を含み、形成されたフィッシュテープを前記回動クランプとの係合から実質的に防止する請求項８に記載の電子式物品監視（ＥＡＳ）システム。
【発明の詳細な説明】
【背景技術】
【０００１】
電子式物品監視（ＥＡＳ：Ｅｌｅｃｔｒｏｎｉｃ  Ａｒｔｉｃｌｅ  Ｓｕｒｖｅｉｌｌａｎｃｅ）システムは、当技術分野において公知であり、在庫管理のために、及び管理区域からの物品の盗難若しくはその類の不正な持ち出しを防止するために使用されている。代表的には、このようなシステムでは、システム送信機及びシステム受信機を用いて、管理区域から持ち出されるいかなる物品も必ず通過する監視区域を形成している。
【０００２】
ＥＡＳタグは、各物品に取り付けられ、システム送信機により該監視区域へ送信される信号と相互作用するように適合されるマーカーまたはセンサを含む。この相互作用により、監視区域に更なる信号が形成されて、この更なる信号がシステム受信機により受信される。従って、タグを付けた物品が監視区域を通ると、システム受信機により信号が受信されるので、監視区域におけるタグ付きの物品の不正な存在が識別される。その後、システム受信機、ＥＡＳタグ、または双方により警報が始動され、監視区域においてタグ付き物品の不正な存在を更に露呈し得る。
【０００３】
ある種類のＥＡＳタグは、再利用可能に設計されているので、物品にタグを付けるための解除可能な取り付け装置を含む。このような取り付け装置は、その物品からのタグの不正な取り外しを回避できるように、権限を持つ者のみにより解除可能であるように、更に設計される。そのため、多くの取り付け装置は、それに関連した特別な器具若しくは取り外し機構の使用によってのみ解除可能である。しかしながら、狡猾な泥棒は、一部のＥＡＳタグを打破する方法を開発している。
【発明の概要】
【０００４】
一実施形態は、ＥＡＳシステムの部分を形成する電子式物品監視（ＥＡＳ）タグである。一般に、ＥＡＳタグは、モニタリングされる監視区域内にある場合、検出可能な信号を発するセンサ、送信機等を含み得る。ＥＡＳタグは、いかなるものにも取り付けられ得、例えば、衣料品に取り付けられ得る。取り外し装置は、監視を必要としない場合（例えば、アイテムが購入された後）、ＥＡＳタグを取り除くことができる。ＥＡＳタグが、例えば、衣料品に取り付けられている間、モニタリングシステムは、ＥＡＳタグを含む衣料品を、警報等を始動させることなく、監視区域から持ち出せないことを確実にするために、ＥＡＳタグ信号に対して監視区域をモニタリングすることができる。
【０００５】
ＥＡＳタグは、タグボディと、ピンを介してタグボディと取り外し可能に係合するタックとを含む。更に具体的には、タグボディは、タックをタグボディに固定するピンを取り外し可能に係合する回動クランプを含む。回動クランプは、タグボディに形成された弧状チャンネルを通して回動クランプに接近し、作動させることにより、ピンから取り外すことができる。弧状チャンネルの形状によって、このような目的のために特別に設計された道具またはプローブ以外の何かを用いて回動クランプに接近することの困難性を増大させる。他の機能の中でも、このような道具またはプローブは、弧状チャンネルの半径を共有する。
【０００６】
一実施形態の弧状チャンネルは、キー溝を更に含みことができ、そのキー溝を通って、道具またプローブが進行して回動クランプに接近し、次に、タックピンから回動クランプを解放しなければならない。弧状チャンネルが位置するところのその深さに基づく、一実施形態のキー溝と、キー溝に先行及び後続する弧状チャンネルの機能と連結する弧状チャンネルに対するその開口部は、単独及び組み合わせて、上記のような目的のために特別に設計された器具又はプローブ以外の何らかのものによって、回動クランプに接近することを更に困難にさせる。従って、キー溝及びキー溝に隣接した弧状チャンネルの機能は、回動クランプに接近するための即興的な手法に協働的に対抗することにより、ＥＡＳシステムの不正な打破を阻止する。
【０００７】
実施形態となる主題は、本明細書の以下の部分に具体的に示されて、明確に請求されている。操作の機構及び方法の両方に関する実施形態については、以下の発明の詳細を以下の添付図面と共に参照することにより良く理解されよう。
【図面の簡単な説明】
【０００８】
【図１】一実施形態のＥＡＳタグを示す図である。
【図２】一実施形態のＳＥＣフック及び回転ブロックアセンブリを示す図である。
【図３】ＳＥＣフック及び回動クランプを含む一実施形態のＥＡＳタグを破断して示す図である。
【図４】ＳＥＣフックの詳細を示す図である。
【図５】形成されたフィッシュテープを示す図である。
【図６】一実施形態のＥＡＳタグを示す図である。
【図７】一実施形態のＥＡＳタグの断面図を示す図である。
【図８】一実施形態のＥＡＳタグの上部筺体を破断して示す図である。
【図９】一実施形態のＥＡＳタグの下部筺体を破断して示す図である。
【図１０】形成されたフィッシュテープを含む、一実施形態のＥＡＳタグの上部筺体の切り取り図を示す図である。
【図１１】形成されたフィッシュテープを含む、一実施形態のＥＡＳタグの上部筺体の切り取り図を示す図である。
【図１２】ＳＥＣフック及び回動クランプを含む、一実施形態のＥＡＳタグの上部筺体の切り取り図を示す図である。
【図１３】一実施形態のＥＡＳタグを含む、ＥＡＳシステムを示す図である。
【発明を実施するための形態】
【０００９】
電子式物品セキュリティタグの実施形態を記載する。以下、図面に示されるこれらの実施形態の説明を詳細に参照する。実施形態は、これらの図面と関連して記載されるが、本明細書に開示される図面にそれらを限定することを意図しない。それとは逆に、その添付の特許請求の範囲により定義されるように、記載される実施形態の精神及び範囲内で、すべての代替、修正、及び同等物を網羅することを意図する。
【００１０】
一実施形態は、ＥＡＳシステムに含まれ得るＥＡＳタグを備え得る。更に具体的には、一実施形態は、弧状チャンネルと、このような目的のために特別に設計されたもの以外の装置を用いたＥＡＳタグの取り外しを妨害するための追加機能とを含み得るＥＡＳタグである。ＥＡＳシステムは、取り外し装置と、モニタリングシステムとを更に含み得る。一般に、ＥＡＳタグは、モニタリングされる監視区域内にある場合、検出可能な信号を発する、センサ、送信機等を含み得る。ＥＡＳタグは、いかなるものにも取り付けられ得、例えば、衣料品に取り付けられ得る。取り外し装置は、監視を必要としない場合（例えば、アイテムが購入された後）、ＥＡＳタグを取り除くことができる。ＥＡＳタグが、例えば、衣料品に取り付けられている間、モニタリングシステムは、ＥＡＳタグを含む衣料品を、警報等を始動させることなく、監視区域から持ち出せないことを確実にするために、ＥＡＳタグ信号に対して監視区域をモニタリングすることができる。
【００１１】
図１は、ボディ１１０と、ピン１３０を含むタック１２０と、ボディ１１０内の弧状チャンネル１３０と、を含むＥＡＳタグ１００を示す。ＥＡＳタグは、タック１２０のピン１３０でアイテムまたは衣料品に穴を開け、ボディ１１０にタック１２０のピン１３０を取り外し可能に固定することにより、例えば、衣料品といった、いかなるアイテムにも取り付けられ得る。一実施形態において、ピン１３０は、例えば、衣料品からＥＡＳタグを取り外すために特別に設計された道具を必要とするような方法によって、ボディ１１０に取り外し可能に固定される。このような道具がない場合、ＥＡＳタグを取り除くのは困難である。上述のように、一実施形態のボディ１１０は、モニタリングされる監視区域内にある場合、検出可能な信号を発する、センサ、送信機等を含み得る。従って、道具なしでＥＡＳタグ１００を取り除く困難性により、モニタリングされる監視区域からの、ＥＡＳタグ１００を含む、例えば、衣料品の持ち出しを阻止し得る。
【００１２】
図２は、ＳＥＣフックと回転ブロックアセンブリの組み合わせ２００を示す。一実施形態において、ＳＥＣフック２２０は、断面が０．０９４インチ×０．０９４インチ（約０．２３５ｃｍ×約０．２３５ｃｍ）である、湾曲した鋼製の棒であり、ロックウェル「Ｃ」硬度が約５４から５８である。ＳＥＣフック２２０の長さは、半径１インチ（約２．５ｃｍ）を有する円の円周の約１／３（即ち、約２インチ（約５ｃｍ）））である。回転ブロックアセンブリ２１０への取り付けについて、ＳＥＣフック２２０は、遠位先端部２３０を含む。先端部２３０の断面は、逆「Ｌ」字型の形状である。Ｌ字型は、回転ブロックアセンブリ２１０に向かって、ＳＥＣフック２２０の遠位端から約０．６０インチ（約１．５ｃｍ）延在し得る。一実施形態において、弧状チャンネル１３０におけるＬ字型キー溝の位置に依存して、先端部２３０の「Ｌ」は、下記に更に充分に説明されるように、０．０６インチ（約０．１５ｃｍ）以上又は０．０６インチ（約０．１５ｃｍ）未満延在し得る。逆「Ｌ」字型におけるそれぞれの辺の厚みは、約０．０２８インチ（約０．０７ｃｍ）である。ＳＥＣフック２２０のもう一方の端部は、ＳＥＣフック２２０が弧を描く半径１インチ（約２．５ｃｍ）の円に一致する１インチ（約２．５ｃｍ）の半径の円の中心で回転軸を中心としてＳＥＣフック２２０を回転する回転ブロックアセンブリ２１０上に取り付けられる。
【００１３】
図３は、ＳＥＣフック２２０を含む、ＥＡＳタグ１００の切り取り図を示す。動作中、ＳＥＣフック２２０はＳＥＣフック２２０の先端部２３０は、弧状チャンネル１３０を案内するように、回転ブロックアセンブリ２１０（回転ブロックアセンブリは図示せず）の回転軸に沿って回転する。ＳＥＣフック２２０はＥＡＳタグ１００の弧状チャンネル１３０内のＬ字型キー溝に、約１インチ（約２．５ｃｍ）回転して入り得る。ＳＥＣフック２２０の先端部２３０が、回動クランプ３１０をし、かつ回動クランプ枢支点３２０を中心として約５度未満回転し、タック１２０のピン１３０をロック解除し、かつ解除し得る。タック１２０は、その後、ＥＡＳタグ１００筺体から取り除かれ、それが取り付けられた衣類または他のアイテムを解放することができる。回動クランプ３１０は、「ロック」位置に付勢され得るので、解除されたタック１２０が、ＥＡＳタグ１００から取り除かれたとき、回動クランプ３１０は、すぐに、別の挿入されたタック１２０を受容し、かつ取り外し可能にロックする、またはそれを固定することができる。
【００１４】
図４は、ＳＥＣフック２２０の詳細を示す。ＳＥＣフック２２０の先端部２３０は、垂直辺４００及び水平辺４１０を更に含む。上述のように、ＳＥＣフック２２０は、ＥＡＳタグ１００の弧状チャンネル１３０に約１インチ（約２．５ｃｍ）回動して入ることができ、ここで、ＳＥＣフック２２０の先端部２３０が、回動クランプ３１０に係合し、回動クランプ３１０を回転させることができる。一実施形態において、以下に更に充分に記載されるように、ＳＥＣフック２２０の先端部２３０は、弧状チャンネル１３０内でＬ字型キー溝を案内し得る。先端部２３０の全体の断面は、約０．０９４インチ×０．０９４インチ（約０．２３５ｍｍ×０．２３５ｍｍ）である。垂直辺４００及び水平辺４１０の双方は、約０．０２８インチ（０．０７ｃｍ）の厚さを有し得る。一実施形態において、垂直辺４００、水平辺４１０、または双方は、先端部２３０を含むＳＥＣフック２２０の弧状チャンネル１３０への挿入を容易にするように、及び／または回動クランプ３１０との先端部２３０の係合を容易にするように、１つ以上のそれらの縁部に面取り、丸み付け等を有し得る。
【００１５】
図５は、ＳＥＣフック２２０の代わりに、回動クランプ３１０を作動させ、タック１２０のピン１３０を解除することが可能であり得る先端部５１０を含む、形成されたフィッシュテープ５００を示す。ＥＡＳシステムを避けることに関心がある者は、このような形成されたフィッシュテープ５００を使用し、ＥＡＳタグ１００を取り除く可能性がある。例えば、半円に形成された薄型剛性ワイヤ（一般的に、約０．０３２インチ×０．０９６インチ（約０．０８ｃｍ×約０．２４ｃｍ）の断面で、自動車のフロントガラスのワイパーブレードの挿入用又は電気用のフィッシュテープ）は、それが、回動クランプ３１０と係合し、タック１２０のピン１３０を解除するまで、弧状チャンネル１３０の内側のＬ字型キー溝に強制的に挿入され得る。経験豊かな操作者の場合、このようなＥＡＳシステムの打破は、１０秒未満で行われ得るため、それにより、ＥＡＳシステムの安全機能を侵害する。
【００１６】
図６は、ＥＡＳシステムを打破するために形成されたフィッシュテープ５００の使用を軽減するいくつかの機能を含む、ＥＡＳタグ６００を示す。同様に番号付けされたＥＡＳタグ１００の機能に加えて、ＥＡＳタグ６００は、スプリングゲート６１０と、キャッチ６２０と、取付部６３０とを更に含み得る。取付部６３０は、対応するＬ字型のＳＥＣフック２２０の先端部２３０を受け入れる実質的にＬ字型開口部を形成する垂直及び水平開口部を有する、実質的に平らな剛性部材であり得る。取付部６３０の剛性部材は、弧状チャンネル１３０において、実質的に垂直に配置され得る。取付部６３０の垂直開口部は、ＳＥＣフック２２０を、例えば、タック１２０のピン１３０を解除する回動クランプ３１０を作動させる弧状チャンネル１３０に挿入する場合、先端部２３０の垂直辺４００を近接して通過させる、サイズにし、配置され得る。
【００１７】
取付部６３０機構は、形成されたフィッシュテープ５００の挿入を防止するためのスプリングゲート６１０アセンブリを更に含み得る。スプリングゲート６１０アセンブリは、形成されたフィッシュテープ５００を留めるキャッチ６２０を更に含み、弧状チャンネル１３０への形成されたフィッシュテープ５００のさらなる挿入を防止し得る。キャッチ６２０は、スプリングゲート６１０の一端に配置され得る。スプリングゲート６１０は、ＥＡＳタグ６００ボディ（すなわち、下部筺体６４０）に取り付けられ、キャッチ６２０が、弧状チャンネル１３０の壁に当たり、かつ取付部６３０の剛性部材の垂直開口部の前にあるように、付勢され得る。動作中、ＳＥＣフック２２０の水平辺４１０は、弧状チャンネル１３０内にＳＥＣフック２２０が挿入されると、スプリングゲート６１０の付勢に対して押し、キャッチ６２０を、取付部６３０の剛性部材の垂直開口部から押しやり、ＳＥＣフック２２０を近接してそこを通過させる。一実施形態において、キャッチ６２０は、スプリングゲート６１０の端部の曲がった部分であり得る。
【００１８】
図７から図１２は、ＥＡＳシステムを打破するために、例えば、形成されたフィッシュテープ５００の使用を更に妨ぐ一実施形態のＥＡＳタグ７００を示す。例えば、図７は、弧状チャンネル１３０において、ＳＥＣフック２２０を含む、ＥＡＳタグ７００の断面図を示す。一実施形態において、弧状チャンネルの少なくとも一部分は、ＳＥＣフック２２０の先端部２３０と類似のＬ字型断面を有し得る。一実施形態において、図８に示されるように、弧状チャンネル１３０は、Ｌ字型キー溝８００を含み得る。一実施形態のＥＡＳタグは、例えば、接合し得る上部筺体７２０及び下部筺体７１０を含み得る。弧状チャンネル１３０及びＬ字型キー溝８００の様々な機能については、同様に、単独及び組み合わせの双方が、ＳＥＣフック２２０なしでタック１２０を取り除くことの困難性を増大することが説明される。
【００１９】
例えば、チャンネル水平辺７４０もしくはチャンネル垂直辺７５０、または双方は、例えば、形成されたフィッシュテープ５００に対抗するように、様々な点で 変更してよい。更に具体的には、上述のように、ＳＥＣフック２２０の先端部２３０のそれぞれの辺（例えば、垂直辺４００及び水平辺４１０）はそれぞれ、約 ０．０２８インチ×０．０９４インチ（約０．７ｃｍ×約０．２３９ｃｍ）であるのに対して、形成されたフィッシュテープ５００は、約０．０３２インチ ×０．０９６インチ（約０．０８ｃｍ×０．２４４ｃｍ）の断面を有し得る。従って、チャンネル水平辺７４０、あるいはチャンネル垂直辺７５０のいずれか、または双方は、例えば、０．０２８インチ（０．０７ｃｍ）の厚みの垂直辺４００または水平辺４１０に対応して製造される場合があるが、チャンネル辺をそれに 応じて狭めることにより、０．０３２インチ（約０．０９４ｃｍ）の厚みの形成されたフィッシュテープ５００を実質的に受け入れられないようにできる。例えば、ＳＥＣフック２２０の先端部２３０に適合するように、水平辺及び垂直辺はそれぞれ、約０．０２８〜０．０３２インチ（約０．０７〜約０．０８ｃｍの幅、ならびに交点に対して約０．０９４〜０．０９６インチ（約０．２３５ｃｍ〜０．２４４ｃｍ）の高さを有し得る。一実施形態の寸法はまた、障害物を避ける ために、形成されたフィッシュテープ５００に対してより少ない余地を提供することにより、形成されたフィッシュテープ５００（弧状チャンネル１３０に押し 込まれる、または形成されたフィッシュテープ５００よりも異なる寸法である場合）を追加の障害物に侵入するようにより良好に導くのに役に立つこともでき る。一実施形態において、上に記載されるチャンネル水平辺７４０及びチャンネル垂直辺７５０の寸法は、Ｌ字型キー溝８００（例えば、図７に断面図が示される）により形成される。
【００２０】
更に、チャンネル垂直辺壁部７５０を含むチャンネル垂直辺を変更してよい。例えば、チャンネル水平辺７４０を、上述のように、ＳＥＣフック２２０の先端部２３０に適合するように狭窄し、形成されたフィッシュテープ５００を実質的に受け入れない場合、チャンネル垂直辺７３０を拡大してよい。一実施形態において、チャンネル垂直辺７３０の垂直深さは、０．０９４インチ（約０．２３５ｃｍ）のＳＥＣフック２２０の垂直辺４００に適合するために必要とされる以上に増加させてよい。一実施形態において、より深い垂直辺７３０は、形成されたフィッシュテープ５００をより良好に誘導し得る。一実施形態において、より深いチャンネル垂直辺７３０は、弧状チャンネル１３０に挿入される場合、形成されたフィッシュテープ５００が、チャンネル水平辺７４０よりもチャンネル垂直辺７３０をより好むように、形成されたフィッシュテープ５００を優先的に誘導し得る。このようにして、一実施形態において、「経路妨害物」または他の障害物が、タック１２０のピン１３０を解除する回動クランプ３１０を係合するための形成されたフィッシュテープ５００の前進を阻害または妨害し得る、チャンネル垂直辺７３０に含み得る、またはそれに隣接し得る。一実施形態において、上に記載されるチャンネル水平辺７４０及びチャンネル垂直辺７５０の寸法は、Ｌ字型キー溝８００（例えば、図７に断面図が示される）により形成される。
【００２１】
図８により示されるように、弧状チャンネル１３０の一部分が、Ｌ字型断面を有する、一実施形態において、Ｌ字型断面は、Ｌ字型キー溝８００により形成され得る。Ｌ字型断面を有する全弧状チャンネル１３０に対して、一実施形態のＬ字型キー溝は、形成されたフィッシュテープ５００が、弧状チャンネル１３０を通って、タック１２０のピン１３０を解除する回動クランプ３１０を係合することを更に困難にし得る。
【００２２】
例えば、弧状チャンネル１３０と同一の弧（すなわち、１．０インチ（約２．５ｃｍ）の半径）を実質的に形成せず、それを誘導する弧状チャンネル１３０のＬ字型の全長がない場合、形成されたフィッシュテープ５００は、形成されたフィッシュテープ５００のさらなる挿入が、回動クランプ３１０に係合するのを実質的に防止する障害物として、Ｌ字型キー溝８００の表面に接触し得る。更に、Ｌ字型キー溝８００の後、弧状チャンネル１３０は、例えば、より深いチャンネル垂直辺壁部７５０または拡大したチャンネル端部８１０を用いて、更に開く、または拡大し得る。それぞれの機能または機能の組み合わせにより、弧状チャンネル１３０に挿入され、Ｌ字型キー溝８００を通して更に前進する形成されたフィッシュテープ５００は、それでもなお、Ｌ字型キー溝８００の後、追加の誘導表面または壁なしでは、タック１２０のピン１３０を解除する回動クランプ３１０を係合するのに、そのままで充分な強度を持たない可能性がある。
【００２３】
図９は、チャンネル水平辺７４０を含む一実施形態のＥＡＳタグ７００の下部筺体７１０を示す。一実施形態において、チャンネル水平辺７４０は、Ｌ字型キー溝８００の部分を形成する。チャンネル水平辺７４０は、例えば、形成されたフィッシュテープ５００に対して誘導する表面であり得る。更に具体的には、形成されたフィッシュテープ５００は、チャンネル垂直辺７３０に挿入すると、案内部材として、チャンネル水平辺７４０の表面に沿って摺動し得る。チャンネル水平辺７４０は、それにより、図１０及び図１１を参照して説明されるように、経路妨害物または障害物に、挿入された形成されたフィッシュテープを導くことができる。
【００２４】
上述のように、誘導表面または壁がない場合、形成されたフィッシュテープは、タック１２０のピン１３０を解除する回動クランプ３１０を係合するのに、そのままで充分な強度を持たない可能性がある。例えば、図１１により示されるように、形成されたフィッシュテープ５００の強度を増加させるために、形成されたフィッシュテープ１０００に示されるように、捻じ曲げ１０１０をフィッシュテープに形成し得る。捻じ曲げ１０１０を含む形成されたフィッシュテープ１０００は、Ｌ字型キー溝８００を通して前進し得るが、Ｌ字型キー溝８００から出ると、捻じ曲げ１０１０は、チャンネル垂直辺壁部７５０により形成される経路妨害物または傷害物に、形成されたフィッシュテープ１０００を導き得る。従って、捻じ曲げ１０１０は、形成されたフィッシュテープ１０００の強度を増加させるために必要であり得るが、それでもなお、チャンネル垂直辺壁部７５０の経路妨害物を踏まえると、形成されたフィッシュテープ１０００が回動クランプ３１０に到達するのを実質的に防止し得る。
【００２５】
反対に、Ｌ字型キー溝の後、チャンネル端部８１０で弧状チャンネル１３０の拡大を参照して説明されるように、形成されたフィッシュテープがなだらかな屈曲（例えば、形成されたフィッシュテープ５００）を有し、次いで、Ｌ字型キー溝８００を通る場合、強度を増大する捻じ曲げ１０１０がついていないと、回動クランプ３１０の向かいの弧状チャンネルの拡大は、屈曲部１１００により示されるように、形成されたフィッシュテープ５００に回動クランプ３１０から離れて屈曲させる。上述のように、Ｌ字型キー溝８００と回動クランプ３１０との間の追加の誘導表面または壁を伴わずに、形成されたフィッシュテープ５００は、タック１２０のピン１３０を解除する回動クランプ３１０を係合するのに、そのままで充分な強度を持たない可能性がある。
【００２６】
図１２は、例えば、Ｌ字型キー溝８００を含む或る実施形態のＥＡＳタグ７００を示す。形成されたフィッシュテープ５００または捻じ曲げ１０１０を含む形成されたフィッシュテープ１０００とは異なり、ＳＥＣフック２２０は、弧状チャンネル１３０、特に、Ｌ字型キー溝８００ならびにそれにより形成された様々な経路妨害物及び傷害物を案内し、タック１２０のピン１３０を解除する回動クランプ３１０に接触して係合し得る。
【００２７】
Ｌ字型キー溝８００の辺（例えば、水平辺７４０及び垂直辺７３０）は、同一の断面図において、実質的に図示され（例えば、図７により）、記載されるが、一実施形態においては、代替的に、位置付けられ得ることを理解されたい。例えば、Ｌ字型キー溝８００の一方の辺を、Ｌ字型キー溝８００の他方の辺とは弧状チャンネル１３０に沿って異なる位置に配置してもよい。例えば、形成されたフィッシュテープ５００は、弧状チャンネル１３０に挿入され、これを通る場合、Ｌ字型キー溝の一方の辺が他方の辺とは異なる深さである場合がある。Ｌ字型キー溝８００の水平辺７４０及び垂直辺７３０の分離または組み合わせは、Ｌ字型キー溝８００の侵入を妨害する、または実質的に中断するように、Ｌ字型キー溝８００をより正確に構成することを更に可能にし得る。
【００２８】
図１３は、一実施形態のＥＡＳタグ７００を含むＥＡＳシステムを示す。図１３は、例えば物品１３１０に取り付けられた、一実施形態のＥＡＳタグ７００を、監視区域１３２０を通過する際に、検出するまたは感知するのに使用される、ＥＡＳシステム１３００を示す。問い合わせ信号は、送信装置１３３０を介して該区域１３２０に送信される。送信された信号とのＥＡＳタグ内のセンサの相互作用から生じる信号は、検出及び警報装置１３５０と通信する受信機１３４０で受信される。検出及び警報装置１３５０は、受信した信号を検出し、監視区域１３２０内でＥＡＳタグ６００及び物品１３１０の存在を示す警報を生成する。
【００２９】
実施形態の特定の特徴について、本明細書に説明するとおりに図示したが、当業者は、多くの変更例、代替例、変形例、及び均等物を想到するであろう。従って、添付の請求項は、実施形態の真の要旨内の係る変更例や変形例の全てを包含することを意図するものであることを理解されたい。
【図１】
0005608559.tif 000002
【図２】
0005608559.tif 000003
【図３】
0005608559.tif 000004
【図４】
0005608559.tif 000005
【図５】
0005608559.tif 000006
【図６】
0005608559.tif 000007
【図７】
0005608559.tif 000008
【図８】
0005608559.tif 000009
【図９】
0005608559.tif 000010
【図１０】
0005608559.tif 000011
【図１１】
0005608559.tif 000012
【図１２】
0005608559.tif 000013
【図１３】
0005608559.tif 000014